(57)【要約】【課題】ボビンストッカのボビン残量を確認し易く、しかも、ボビンストッカがストックしているボビンを作業台車に対してシンプルな構成で供給することができる糸巻取機を提供する。【解決手段】紡績ユニット６は、機台本体２の長手方向に沿って並設され、巻取ボビン１６に紡績糸１５を巻き取ってパッケージ１７を形成する。ボビンストッカ４は、紡績ユニット６で使用される巻取ボビン１６を保管する。玉揚台車６７は、紡績ユニット６とボビンストッカ４との間を走行可能に設けられ、巻取ボビン１６を紡績ユニット６に供給する。ボビンストッカ４が保管している巻取ボビン１６に対して、少なくとも正面側からアクセス可能であるように、当該ボビンストッカ４が構成されている。玉揚台車６７は、ボビンストッカ４が保管している巻取ボビン１６を、機台本体２の正面側のボビン供給位置７７において受け取る。【選択図】図１
2013067883.tif 000002
【特許請求の範囲】
【請求項１】
機台本体と、
前記機台本体の長手方向に沿って並設され、巻取ボビンに糸を巻き取ってパッケージを形成する複数の糸巻取ユニットと、
前記糸巻取ユニットで使用される前記巻取ボビンを保管するボビン保管装置と、
前記糸巻取ユニットと前記ボビン保管装置との間を走行可能に設けられ、前記巻取ボビンを前記糸巻取ユニットに供給する作業台車と、
を備え、
前記糸巻取ユニットの並設方向に沿った方向を左右方向、前記左右方向及び上下方向に直交する方向を前後方向とし、前記前後方向において前記機台本体から見て前記糸巻取ユニットが巻き取る糸が走行している側を正面側、反対側を背面側としたときに、
前記ボビン保管装置が保管している前記巻取ボビンに対して、少なくとも前記正面側からアクセス可能であるように当該ボビン保管装置が構成されているとともに、
前記作業台車は、前記ボビン保管装置が保管している前記巻取ボビンを、前記機台本体の前記正面側のボビン供給位置において受け取ることを特徴とする糸巻取機。
【請求項２】
請求項１に記載の糸巻取機であって、
前記機台本体の前記正面側に配置され、前記作業台車の走行を可能とする走行経路を更に備え、
前記走行経路を挟んで、前記糸巻取ユニット及び前記ボビン保管装置の反対側に、作業者が作業を行う作業通路が設けられていることを特徴とする糸巻取機。
【請求項３】
請求項２に記載の糸巻取機であって、
前記ボビン保管装置は、前記巻取ボビンの軸方向端部が前記作業通路側を向くように、前記巻取ボビンを複数保管するように構成されていることを特徴とする糸巻取機。
【請求項４】
請求項１から３までの何れか一項に記載の糸巻取機であって、
前記作業台車に設けられ、糸屑を回収する糸屑回収部と、
前記ボビン保管装置の近傍に配置され、前記ボビン供給位置に停止した前記作業台車の前記糸屑回収部に溜まっている糸屑を、当該糸屑回収部から排出させる糸屑排出部と、
を更に備えることを特徴とする糸巻取機。
【請求項５】
請求項１から４までの何れか一項に記載の糸巻取機であって、
前記糸巻取ユニットが巻き取る糸よりも前記背面側において、前記糸の糸継作業を行う糸継台車を備え、
前記機台本体は、当該機台本体の前記背面側と、前記糸継台車の作業空間と、を連通する開口部を有していることを特徴とする糸巻取機。
【請求項６】
請求項５に記載の糸巻取機であって、
前記ボビン保管装置は、前記機台本体の高さ方向の全域にわたって設けられていることを特徴とする糸巻取機。
【発明の詳細な説明】
【技術分野】
【０００１】
本発明は、主として、糸巻取機が備えるボビンストッカのレイアウトに関する。
【背景技術】
【０００２】
巻取ボビンに糸を巻き取ってパッケージを形成する糸巻取機が知られている。この種の糸巻取機としては、例えば、特許文献１に記載の紡績機、特許文献２に記載の自動ワインダなどがある。特許文献１及び特許文献２が開示しているように、この種の糸巻取機は、糸を巻き取るための多数の糸巻取ユニットを機台本体に並べて備えている。
【０００３】
このような糸巻取機において、糸巻取ユニットでパッケージが満巻（パッケージに規定量の糸が巻き取られた状態）になったときには、当該糸巻取ユニットから満巻パッケージを回収する玉揚作業を行うとともに、新しく空の巻取ボビンを取り付けるというボビンセット作業が行われる。特許文献１及び特許文献２に記載の糸巻取機は、玉揚作業及びボビンセット作業を自動的に行う玉揚台車（作業台車）を備えている。このように、パッケージが完成した糸巻取ユニットに新しい空の巻取ボビンを自動的に取り付けることで、当該糸巻取ユニットによる糸の巻取りを継続することができる。
【０００４】
作業台車がボビンセット作業を行うためには、当該作業台車が糸巻取ユニットに供給するための空の巻取ボビンが必要である。そこで、特許文献１及び２に開示されている糸巻取機は、空の巻取ボビンを大量にストックしておくことができるボビンストッカを備えている。ボビンストッカは、自身がストックしている空の巻取ボビンを、必要に応じて作業台車に供給できるように構成されている。
【先行技術文献】
【特許文献】
【０００５】
【特許文献１】特開平８−２４６２７５号公報
【特許文献２】米国特許第４８６５２６０号明細書
【発明の概要】
【発明が解決しようとする課題】
【０００６】
特許文献１においては、その図２に示されているように、ボビンストッカは機台の背面側に配置されている。従って、特許文献１に記載の紡績機のオペレータは、ボビンストッカの巻取ボビンの残量を確認するために機台背面側にまわらなければならない。このため、ボビン残量をオペレータが容易に確認できないという問題がある。なお、特許文献１の精紡機は、作業台車を、その軌道の延長線上に抜き出し可能に構成されている。このため、特許文献１の紡績機においては、前記軌道の延長線を避けるようにボビンストッカを配置しなければならず、ボビンストッカのレイアウトが制限されるという事情がある。このため、特許文献１の構成では、ボビンストッカを機台の背面側に配置するしかなかったのである。
【０００７】
一方、特許文献２の構成では、その図１に示されているように、ボビンストッカ（アキュムレータ１０）が機台正面側を向いて配置されている。従って、特許文献２に記載の自動ワインダのオペレータは、ボビンストッカのボビン（チューブ１４）の残量を、機台正面側から容易に確認することができる。
【０００８】
しかし、特許文献２の構成は、ボビンストッカが機台正面側を向いて配置されているにもかかわらず、当該ボビンストッカからボビンを受け取る作業台車（ドッフィングデバイス２０）は、糸巻取ユニット（ワインディングステーション８）の背面側を走行するように構成されている。このように、従来の糸巻取機では、ボビンストッカと、当該ボビンストッカからボビンを受け取る作業台車と、の配置が整理されていなかったため、ボビンストッカから作業台車までのボビンの供給方法が複雑になる傾向があった。例えば特許文献２では、ボビンストッカがストックしている空ボビンを、無端ベルトからなる搬送機構によって作業台車まで供給するように構成されている。しかし、このように無端ベルトで空ボビンを搬送して供給する構成では、作業台車が空ボビンを受け取るまでに時間がかかるため、効率が悪いという問題がある。また、空ボビンの搬送機構を設ける必要があるため、糸巻取装置全体の構成が複雑化してしまう。
【０００９】
本発明は以上の事情に鑑みてされたものであり、その目的は、ボビンストッカのボビン残量を確認し易く、しかも、ボビンストッカがストックしているボビンを作業台車に対してシンプルな構成で供給することができる糸巻取機を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成の糸巻取機が提供される。即ち、この糸巻取機は、機台本体と、複数の糸巻取ユニットと、ボビン保管装置と、作業台車と、を備える。前記糸巻取ユニットは、前記機台本体の長手方向に沿って並設され、巻取ボビンに糸を巻き取ってパッケージを形成する。前記ボビン保管装置は、前記糸巻取ユニットで使用される前記巻取ボビンを保管する。前記作業台車は、前記糸巻取ユニットと前記ボビン保管装置との間を走行可能に設けられ、前記巻取ボビンを前記糸巻取ユニットに供給する。前記糸巻取ユニットの並設方向に沿った方向を左右方向、前記左右方向及び上下方向に直交する方向を前後方向とし、前記前後方向において前記機台本体から見て前記糸巻取ユニットが巻き取る糸が走行している側を正面側、反対側を背面側としたときに、前記ボビン保管装置が保管している前記巻取ボビンに対して、少なくとも前記正面側からアクセス可能であるように、当該ボビン保管装置が構成されている。前記作業台車は、前記ボビン保管装置が保管している前記巻取ボビンを、前記機台本体の前記正面側のボビン供給位置において受け取る。
【００１２】
このように、ボビン保管装置のアクセス可能な側と、作業台車が巻取ボビンを受け取る位置（ボビン供給位置）と、を同じ側に配置したことにより、ボビン保管装置から作業台車に供給される巻取ボビンの経路の長さを短縮することができる。その結果、簡単な構成により、巻取ボビンを作業台車に効率良く供給することができる。
【００１３】
上記の糸巻取機は、以下のように構成されることが好ましい。即ち、この糸巻取機は、前記機台本体の前記正面側に配置され、前記作業台車の走行を可能とする走行経路を更に備える。前記走行経路を挟んで、前記糸巻取ユニット及び前記ボビン保管装置の反対側に、作業者が作業を行う作業通路が設けられる。
【００１４】
即ち、ボビン保管装置は、作業通路側を向いて配置されている。これにより、作業者は、ボビン保管装置のボビン保管状況を、作業通路から容易に確認できる。
【００１５】
上記の糸巻取機において、前記ボビン保管装置は、前記巻取ボビンの軸方向端部が前記作業通路側を向くように、前記巻取ボビンを複数保管するように構成されることが好ましい。
【００１６】
これにより、ボビン保管装置は、巻取ボビンを多数保管することができる。
【００１７】
上記の糸巻取機は、以下のように構成されることが好ましい。即ち、この糸巻取機は、糸屑回収部と、糸屑排出部と、を更に備える。前記糸屑回収部は、前記作業台車に設けられ、糸屑を回収する。前記糸屑排出部は、前記ボビン保管装置の近傍に配置され、前記ボビン供給位置に停止した前記作業台車の前記糸屑回収部に溜まっている糸屑を、当該糸屑回収部から排出させる。
【００１８】
この構成によれば、作業台車は、ボビン供給位置において、巻取ボビンの受領と糸屑の廃棄を同時に行うことができる。これにより、糸巻取機の効率が向上する。
【００１９】
上記の糸巻取機は、以下のように構成されることが好ましい。即ち、この糸巻取機は、前記糸巻取ユニットが巻き取る糸よりも前記背面側において、前記糸の糸継作業を行う糸継台車を備える。前記機台本体は、当該機台本体の前記背面側と、前記糸継台車の作業空間と、を連通する開口部を有している。
【００２０】
これにより、糸継台車を機台の背面側からメンテナンスすることができる。従って、従来技術のように、糸継台車のメンテナンスのために当該糸継台車を機台側方から抜く必要がないので、ボビン保管装置を正面側に寄せて配置することができる。
【００２１】
上記の糸巻取機において、前記ボビン保管装置は、前記機台本体の高さ方向の全域にわたって設けられることが好ましい。
【００２２】
即ち、糸継台車を機台の側方から抜く必要がなくなった結果、糸継台車を抜くためのスペースを機台側方に設ける必要が無くなった。この結果、ボビン保管装置のレイアウトの自由度が向上し、当該ボビン保管装置を機台本体の上下方向の全域にわたって設けることができる。これにより、ボビン保管装置が保管可能な巻取ボビンの数を増加させることができる。
【図面の簡単な説明】
【００２３】
【図１】本発明の一実施形態に係る精紡機の全体的な構成を示す正面図。
【図２】精紡機の平面図。
【図３】精紡機の側面断面図。
【図４】空気紡績装置の断面図。
【発明を実施するための形態】
【００２４】
次に、本発明の一実施形態に係る糸巻取機としての精紡機（紡績機）について、図面を参照して説明する。図１に示すように、精紡機１は、機台本体２と、ドライブエンドボックス３と、ボビンストッカ（ボビン保管装置）４と、ブロアボックス５と、を備えている。
【００２５】
機台本体２には、その長手方向に沿って、複数の紡績ユニット（糸巻取ユニット）６が並設して設けられている。図３に示すように、各紡績ユニット６は、上流から下流へ向かって順に配置された、ドラフト装置１０と、紡績部１１と、糸貯留装置１２と、巻取部１３と、を主要な構成として備えている。なお、本明細書において「上流」及び「下流」とは、紡績時での繊維束１４及び紡績糸１５の走行方向における上流及び下流を意味するものとする。各紡績ユニット６は、ドラフト装置１０が供給する繊維束１４を紡績部１１で紡績して紡績糸１５を生成し、当該紡績糸１５を巻取部１３で巻取ボビン１６に巻き取るように構成されている。なお、このように紡績糸１５が巻き取られた巻取ボビン１６を、パッケージ１７と称する。
【００２６】
なお、以下の説明で、紡績ユニット６が並設されている方向（図１及び図２に「右」と「左」の矢印で示す方向）を、単に「左右方向」と呼ぶことがある。また、左右方向及び上下方向（鉛直方向）に直交する方向（図１及び図３に「前」と「後」の矢印で示す方向）を、単に「前後方向」と呼ぶことがある。図３に示すように、左右方向で見たときに、紡績ユニット６で生成される紡績糸１５は、機台本体２の前後方向の一側を走行する。そこで、前後方向で、機台本体２から見たときに紡績糸１５が走行する側（図３の左側）を正面側、反対側を背面側と呼ぶことがある。
【００２７】
ドライブエンドボックス３は、機台本体２の左右方向の一側の端部に配置されている。ドライブエンドボックス３内には、トラバース機構６０（後述）を往復駆動するための駆動源などが配置されている。また、ドライブエンドボックス３には、図略の圧空源から圧縮空気供給パイプ３３を介して圧縮空気が供給されている。ドライブエンドボックス３内には、前記圧縮空気（エア）を適切に調整して精紡機１の各部へと供給するレギュレータ等が配置されている。前記レギュレータ等によって適切な空気圧に調整された圧縮空気は、図略のダクト又はチューブなどを介して、精紡機１の各部に供給される。
【００２８】
また図１に示すように、ドライブエンドボックス３の正面側には、操作部１８が設けられている。この操作部１８は、各紡績ユニット６に関する情報を表示可能な表示画面、各種設定を行う設定操作具（操作ボタン、操作ダイヤルなど）などを備えている。操作部１８は、各紡績ユニット６と通信可能に構成されており、精紡機１が備える複数の紡績ユニット６に関する情報を集中的に管理している。また、操作部１８は、精紡機１が備える複数の紡績ユニット６に対して一括して、或いは個別に制御信号を送信することができる。従って、精紡機１のオペレータは、複数の紡績ユニット６を、操作部１８によって集中的に操作することができる。
【００２９】
機台本体２の左右方向で、ドライブエンドボックス３とは反対側の端部には、ボビンストッカ４が配置されている。このボビンストッカ４は、空の巻取ボビン１６を複数保持可能に構成されている。
【００３０】
図２に示すように、ボビンストッカ４の背面側には、ブロアボックス５が配置されている。ブロアボックス５内には、図略の負圧源が配置されている。図３に示すように、機台本体２には、左右方向に沿って負圧ダクト１９，２０，２１が配設されている。この負圧ダクト１９，２０，２１は前記負圧源に接続されており、当該負圧ダクト１９，２０，２１の内部は、前記負圧源によって負圧に保たれている。この負圧ダクト１９，２０，２１を介して、精紡機１の各部に負圧を供給することができる。
【００３１】
ドラフト装置１０は、機台本体２の上端近傍に設けられている。ドラフト装置１０は、図略のスライバケースからスライバガイドを介して供給されるスライバ（繊維束の原料）２２を、所定の幅になるまでドラフト（繊維を引き伸ばすこと）する。
【００３２】
ドラフト装置１０は、複数のドラフトローラを備えている。各ドラフトローラは、２つ１組でドラフトローラ対を構成している。ドラフト装置１０は、上流側から順に、バックローラ対２３，２７、サードローラ対２４，２８、ミドルローラ対２５，２９、及びフロントローラ対２６，３０の４つのドラフトローラ対を有する４線式のドラフト装置として構成されている。各ドラフトローラ対において、前後方向で正面側に位置するドラフトローラをトップローラ、背面側に位置するドラフトローラをボトムローラと称する。トップローラは、図３に示すように上流側から順に、バックトップローラ２３、サードトップローラ２４、ゴム製のエプロンベルトを装架したミドルトップローラ２５、及びフロントトップローラ２６となっている。一方、ボトムローラは、上流側から順に、バックボトムローラ２７、サードボトムローラ２８、ゴム製のエプロンベルトを装架したミドルボトムローラ２９、及びフロントボトムローラ３０となっている。
【００３３】
上記ボトムローラ２７，２８，２９，３０は、図略の駆動源によって回転駆動される。一方、各トップローラ２３，２４，２５，２６は、図略の軸受等を介して、その軸線を中心に回転自在に支持されている。また、各トップローラ２３，２４，２５，２６は、図略の付勢部材によって、これに対向するボトムローラ２７，２８，２９，３０に向けてそれぞれ付勢されている。
【００３４】
以上の構成で、ドラフト装置１０は、回転するトップローラ２３，２４，２５，２６とボトムローラ２７，２８，２９，３０の間でスライバ２２を挟み込み、当該スライバ２２を下流側に向けて搬送することができる。ドラフト装置１０は、下流側のドラフトローラ対ほど回転速度が速くなるように構成されている。従って、繊維束１４（又はスライバ２２）は、ドラフトローラ対とドラフトローラ対との間で搬送される間に引き伸ばされ（ドラフトされ）ていく。各ボトムローラ２７，２８，２９，３０の回転速度を適宜設定することにより、繊維束１４がドラフトされる程度を変更できるので、ドラフト装置１０は、所望の繊維幅となるように繊維束１４をドラフトすることができる。なお、各ローラの回転速度は、繊維の種類や、紡績する紡績糸１５の太さなどの紡績条件（巻取条件）応じて適宜変更される。
【００３５】
フロントローラ対２６，３０のすぐ下流側には、紡績部１１が配置されている。ドラフト装置１０でドラフトされた繊維束１４は、紡績部１１に供給される。この紡績部１１は、旋回気流を利用して繊維束１４に撚りを与える空気紡績装置４１を備えている。空気紡績装置４１は、ドラフト装置１０から供給された繊維束１４に撚りを加えて、紡績糸１５を生成する。
【００３６】
空気紡績装置４１は、図４に示すように、ノズルブロック４３と、中空ガイド軸体４４と、繊維案内部４５と、を主に備えている。
【００３７】
ノズルブロック４３と中空ガイド軸体４４の間には、紡績室４６が形成されている。ノズルブロック４３には、紡績室４６内に空気を噴出する空気噴出ノズル４７が形成されている。繊維案内部４５には、紡績室４６内に繊維束１４を導入する導入口４８が形成されている。空気噴出ノズル４７は、紡績室４６内に空気を噴出して旋回気流を発生させることができるように構成されている。この構成で、ドラフト装置１０から供給された繊維束１４は、導入口４８を有する繊維案内部４５によって紡績室４６内に案内される。紡績室４６内において、繊維束１４は、旋回気流によって中空ガイド軸体４４の周囲を振り回されることにより、撚りが加えられて紡績糸１５となる。撚りが加えられた紡績糸１５は、中空ガイド軸体４４の軸中心に形成された糸通路４９を通って、下流側の糸出口（図略）から空気紡績装置４１の外部に送出される。
【００３８】
なお、前記導入口４８には、その先端を紡績室４６内向けて配置された針状のガイドニードル５０が配置されている。導入口４８から導入される繊維束１４は、このガイドニードル５０に巻きかかるようにして紡績室４６内に案内される。これにより、紡績室４６内に導入される繊維束１４の状態を安定させることができる。また、このようにガイドニードル５０に巻きかかるように繊維束１４が案内されるので、紡績室４６内で繊維に撚りが加えられても、繊維案内部４５よりも上流側に撚りが伝播することが防止される。これにより、紡績部１１による加撚がドラフト装置１０に影響を与えることを防止できる。ただし、ガイドニードル５０を省略して、繊維案内部４５の下流側端部により、ガイドニードル５０の機能を果たしても良い。
【００３９】
紡績部１１の下流側であって機台本体２の下部には、巻取部１３が配置されている。巻取部１３は、クレードルアーム５８と、巻取ドラム５９と、を備えている。クレードルアーム５８は、支軸５７まわりに揺動可能に構成されている。このクレードルアーム５８は、紡績糸１５を巻回するための巻取ボビン１６を回転可能に支持することができる。巻取ドラム５９は、前記巻取ボビン１６やそれに紡績糸１５を巻回して形成されるパッケージ１７の外周面に接触して駆動できるように構成されている。巻取ドラム５９を図略の電動モータによって駆動することで、巻取ドラム５９に接触する巻取ボビン１６（又はパッケージ１７）を回転させ、紡績糸１５を巻取ボビン１６に巻き取ることができる。
【００４０】
図１に示すように、精紡機１は、各紡績ユニット６の巻取部１３によって巻き取られる紡績糸１５の綾振り（トラバース）を行うためのトラバース機構６０を、機台本体２の下部に備えている。このトラバース機構６０は、複数のトラバースガイド６１と、トラバースロッド６２と、を有している。
【００４１】
各トラバースガイド６１は、各紡績ユニット６の巻取部１３の近傍にそれぞれ配置されるとともに、当該巻取部１３で巻き取られる紡績糸１５に係合するように構成されている。前記トラバースロッド６２は、長手方向が左右方向に沿うように配設され、精紡機１が備える全紡績ユニット６にわたって配置されている。各トラバースガイド６１は、トラバースロッド６２に固定されている。このトラバースロッド６２は、ドライブエンドボックス３内の図略の駆動源によって左右に往復駆動される。これにより、全紡績ユニット６で一斉にトラバースガイド６１を往復駆動させることができる。紡績糸１５を係合させた状態のトラバースガイド６１を往復動させつつ、巻取部１３によって巻取ボビン１６を回転させることで、紡績糸１５を綾振りしつつ巻き取り、適切な形状のパッケージ１７を形成することができる。
【００４２】
紡績部１１と巻取部１３との間には、糸貯留装置１２が設けられている。糸貯留装置１２は、図３に示すように、糸貯留ローラ６３と、当該糸貯留ローラ６３を回転駆動する電動モータ６４と、を備えている。
【００４３】
糸貯留ローラ６３は、その外周面に一定量の紡績糸１５を巻き付けて一時的に貯留することができるように構成されている。糸貯留ローラ６３の外周面に紡績糸１５を巻き付けた状態で当該糸貯留ローラ６３を所定の回転速度で回転させることにより、紡績部１１の空気紡績装置４１から紡績糸１５を所定の速度で引き出して下流側に搬送することができる。また、糸貯留ローラ６３の外周に紡績糸１５を一時的に貯留するように構成されているので、糸貯留装置１２を一種のバッファとして機能させることができる。これにより、紡績部１１における紡績速度と、巻取部１３における巻取速度と、が何らかの理由により一致しない場合の不具合（例えば紡績糸１５の弛みなど）を解消することができる。
【００４４】
紡績部１１と糸貯留装置１２との間の位置には、糸品質測定器６５が設けられている。紡績部１１で紡出された紡績糸１５は、糸貯留装置１２で巻き取られる前に前記糸品質測定器６５を通過する。糸品質測定器６５は、走行する紡績糸１５の太さを、図略の静電容量式センサによって監視するように構成されている。糸品質測定器６５は、紡績糸１５の糸欠点（紡績糸１５の太さなどに異常がある箇所）を検出した場合に、糸欠点検出信号を図示しないユニットコントローラへ送信するように構成されている。なお、糸品質測定器６５は静電容量式のセンサに限らず、例えば光透過式のセンサで紡績糸１５の太さを監視する構成であっても良い。また、糸品質測定器６５は、紡績糸１５に含まれる異物を糸欠点として検出するように構成されていても良い。
【００４５】
糸品質測定器６５の近傍には、紡績糸１５の糸欠点が検出された際に直ちに紡績糸１５を切断するためのカッタ（図略）が配置されている。なお、紡績ユニット６は、このカッタの代わりに、紡績部１１への空気の供給を停止して、紡績糸１５の生成を中断することにより当該紡績糸１５を切断しても良い。
【００４６】
また図１等に示すように、精紡機１は、糸継台車６６と玉揚台車（作業台車）６７を備えている。
【００４７】
機台本体２には、左右方向に沿って糸継台車走行レール６８が敷設されている。この糸継台車走行レール６８は、紡績糸１５の糸道よりも背面側に位置している。前記糸継台車６６は、糸継台車走行レール６８に沿って走行することができるように構成されている。
【００４８】
糸継台車６６は、図１及び図３に示すように、糸継装置６９と、サクションパイプ７０と、サクションマウス７１と、を備えている。ある紡績ユニット６において糸切れや糸切断などにより紡績部１１と巻取部１３の間の紡績糸１５が分断状態になると、糸継台車６６は、前記糸継台車走行レール６８上を前記紡績ユニット６まで走行し、停止する。前記サクションパイプ７０は、軸を中心に上下方向に回動しながら、紡績部１１から送出される糸端を吸い込みつつ捕捉して糸継装置６９へ案内する。サクションマウス７１は、軸を中心に上下方向に回動しながら、前記巻取部１３に支持されたパッケージ１７から糸端を吸引しつつ捕捉して糸継装置６９へ案内する。糸継装置６９は、案内された糸端同士を、圧縮空気によって発生させた旋回気流によって撚り合わせることにより糸継ぎを行う。これにより、紡績部１１と巻取部１３との間の紡績糸１５を連続状態とし、パッケージ１７への紡績糸１５の巻き取りを再開することができる。
【００４９】
前述のように、糸継台車走行レール６８は糸道よりも背面側に敷設されているので、糸継台車６６は糸道よりも背面側を走行し、当該背面側の位置から糸継作業を行う。このように、糸継台車６６は、糸道よりも背面側（即ち、機台本体２の奥まった位置）にあるので、メンテナンスを行いにくい。そこで本実施形態の精紡機１においては、糸継台車６６を、機台本体２の背面から抜き出すことができるように構成されている。より具体的には、図３に示すように、負圧を供給するための負圧ダクト１９，２０，２１を、糸継台車６６よりも高い位置、又は低い位置に配設することにより、糸継台車６６の背面側に負圧ダクトが配置されてない構成としている。そして、機台本体２の背面側の一部には、糸継台車６６が糸継作業を行う空間と連通する開口部１１０が形成されている。これにより、糸継台車６６を、開口部１１０を介して機台本体２に着脱することができる。従って、糸継台車６６を機台本体２の背面側から抜き出してメンテナンスを行うことができる。
【００５０】
なお、糸継台車６６にメンテナンスを行う場合、当該糸継台車６６の背面側にアクセスすることができれば、十分なメンテナンスを行うことができる場合がある。このような場合は、糸継台車６６を機台本体２に取り付けたままで、開口部１１０を介してメンテナンス作業を行うことができる。従って、開口部１１０の開口面積は、糸継台車６６を抜き出すことができる程度に大きく形成されていなくても良く、作業者がメンテナンスを行うのに十分な程度の開口面積が確保されていれば良い。
【００５１】
また機台本体２の正面側には、左右方向に沿って玉揚台車走行レール（走行経路）３９が敷設されている。前記玉揚台車６７は、玉揚台車走行レール３９に沿って走行することができるように構成されている。
【００５２】
玉揚台車６７は、満巻になったパッケージ１７の玉揚作業と、空の巻取ボビン１６を供給するボビンセット作業を行うように構成されている。図１及び図３に示すように、玉揚台車６７は、空ボビン収容部３８と、クレードル操作アーム７２と、糸引き出しアーム７３と、空ボビン供給アーム７４と、を備えている。空ボビン収容部３８は、複数の空の巻取ボビン１６を収容することができるように構成されている。糸引き出しアーム７３は、図略のエアシリンダ機構により伸縮可能に構成されている。当該糸引き出しアーム７３の先端には、エアサッカ装置として構成された捕捉部が設けられている。捕捉部は、吸引空気流を発生させて、紡績糸１５を吸引捕捉することができるように構成されている。糸引き出しアーム７３の先端には、前記捕捉部が吸引捕捉している紡績糸１５を切断するための図略のカッタが設けられている。
【００５３】
まず、玉揚作業について説明する。ある紡績ユニット６で巻き取っているパッケージ１７が満巻（規定量の紡績糸１５を巻き取った状態）になると、玉揚台車６７は、玉揚台車走行レール３９上を前記紡績ユニット６まで走行して停止する。次に、クレードル操作アーム７２は、紡績ユニット６のクレードルアーム５８を操作することにより、前記満巻のパッケージ１７をクレードルアーム５８から取り外す。取り外された満巻パッケージ１７は、紡績ユニット６と、玉揚台車走行レール３９と、の間に敷設されパッケージコンベア７５の上に落下して受け止められる。なお、玉揚台車６７に搬送機構を設け、当該搬送機構によって満巻パッケージ１７を巻取部１３からパッケージコンベア７５へと搬送ように構成しても良い。図２に示すように、パッケージコンベア７５は左右方向に沿って配設されている。このパッケージコンベア７５は、満巻のパッケージ１７を前記左右方向に沿って搬送するように構成されている。パッケージコンベア７５による満巻パッケージ１７の搬送方向の端部には、図略のパッケージ回収部が配置されている。以上の玉揚作業により、満巻のパッケージ１７を自動的に回収することができる。
【００５４】
次に、ボビンセット作業について説明する。玉揚台車６７は、空ボビン収容部３８にストックされている空の巻取ボビン１６を空ボビン供給アーム７４によって把持するとともに、当該空ボビン供給アーム７４を回動させて、前記巻取ボビン１６を紡績ユニット６のクレードルアーム５８に装着する。これと前後して、玉揚台車６７の糸引き出しアーム７３は、紡績部１１で紡出された紡績糸１５を吸引捕捉するとともに、当該捕捉した紡績糸１５を、クレードルアーム５８に装着された前記空の巻取ボビン１６の近傍まで案内する。この状態で、公知のバンチ巻きなどの方法により、紡績部１１から引き出された紡績糸１５を巻取ボビン１６に固定する。
【００５５】
上記バンチ巻きが終了すると、玉揚台車６７は、上記カッタを作動させることにより糸引き出しアーム７３の捕捉部が吸引捕捉している紡績糸１５を切断する。これにより、バンチ巻きで余った紡績糸１５が切断されるとともに、捕捉部の吸引空気流によって吸引除去される。玉揚台車６７は、糸引き出しアーム７３によって吸引除去した糸屑を回収するための糸屑回収ボックス（糸屑回収部）７８を備えている。糸屑回収ボックス７８は図略のエアフィルタを備えており、前記捕捉部が発生させた吸引空気流と、前記吸引空気流に乗って飛ばされてくる糸屑とを分離し、糸屑のみを回収できるように構成されている。
【００５６】
以上で説明した玉揚台車６７のボビンセット作業が終了すると、紡績ユニット６の巻取部１３は、紡績部１１から引き出された紡績糸１５が巻取ボビン１６に固定された状態で、巻取ボビン１６の回転を開始する。これにより、新しい巻取ボビン１６に対する紡績糸１５の巻き取りを開始することができる。
【００５７】
玉揚台車６７の空ボビン収容部３８にストックできる空の巻取ボビン１６の数は限られているので、適宜のタイミングで巻取ボビン１６を補充する必要がある。そこで玉揚台車６７は、適宜のタイミングで、前記ボビンストッカ４から巻取ボビン１６の供給を受けるように構成されている。即ち、図２に示すように、前記玉揚台車走行レール３９は、ボビン供給位置７７（図１及び図２に二点鎖線で示す位置）まで伸びて敷設されている。図１及び図２に示すように、ボビン供給位置７７は、機台本体２の正面側に位置しており、ボビンストッカ４に隣接して配置されている。玉揚台車６７は、必要に応じて、ボビン供給位置７７まで走行して停止する。ボビン供給位置７７に停止した玉揚台車６７に対して、ボビンストッカ４から巻取ボビン１６が供給される。
【００５８】
なお、図２に示すように、玉揚台車走行レール３９の正面側には、作業者が通行するための作業通路８０が設けられている。作業者は、この作業通路８０において、精紡機１の正面側の様子を確認することができる。また作業者は、作業通路８０において、精紡機１の正面側に配置されている紡績ユニット６などのメンテナンス作業等を行うことができる。
【００５９】
次に、ボビンストッカ４の構成について説明する。
【００６０】
このボビンストッカ４は、巻取ボビン１６を取り付けることができるペグ８１を複数有している。このペグ８１は棒状の部材として構成されている。周知のように、紡績糸１５を巻き取るための巻取ボビン１６は筒体として構成されているので、巻取ボビン１６の内部にペグ８１を挿入することにより、当該巻取ボビン１６をペグ８１に取り付けることができる。
【００６１】
ボビンストッカ４は、巻取ボビン１６を、その軸方向端部が作業通路８０側を向くように複数保管するように構成されている。即ち、各ペグ８１は、その長手方向が略前後方向に沿って配置されており、かつ、その先端が正面側を向くように配置されている。従って、当該ペグ８１に巻取ボビン１６を取り付けることにより、巻取ボビン１６を、軸線が略水平な姿勢で支持することができる。このように、ボビンストッカ４は、巻取ボビン１６を水平姿勢に保った状態で保管するように構成されているので、巻取ボビン１６をスペース効率良く収容することができる。
【００６２】
また、ボビンストッカ４の正面側は開放されており、各ペグ８１の先端は、ボビンストッカ４の正面側に露出するように構成されている。即ち、本実施形態の精紡機１においては、ボビンストッカ４が正面側を向いて配置されている。これにより、ボビンストッカ４が保持している巻取ボビン１６の様子を、作業通路８０から確認することができる。これにより、作業者は、ボビンストッカ４のボビン残量などを、作業通路８０から容易に確認することができる。また、ペグ８１が正面側を向いているので、当該ペグ８１に対する巻取ボビン１６の取り付け作業を、作業通路８０から行うことができる。これにより、ボビンストッカ４に対する巻取ボビン１６の補給作業を簡単に行うことができる。以上のように、本実施形態の精紡機１では、ボビンストッカ４が保管している巻取ボビン１６に対して、正面側から（作業通路８０から）容易にアクセスすることが可能となっている。
【００６３】
ボビンストッカ４は、ペグ８１の長手方向と略直行する平面（垂直面）内を循環駆動される無端チェーン８２を備えている。前記複数のペグ８１は、無端チェーン８２に固定されている。従って、無端チェーン８２を一方向に向けて連続的又は間欠的に循環駆動させることにより、ペグ８１に取り付けられた巻取ボビン１６を、無端チェーン８２の長手方向に沿って搬送することができる。
【００６４】
ボビンストッカ４における巻取ボビン１６の搬送経路の途中には、ボビン取外し部８３が設けられている。ボビン取外し部８３は、ペグ８１に取り付けられている巻取ボビン１６に接触可能な取外しレバー（図略）を備えており、当該取外しレバーによって巻取ボビン１６をペグ８１から取り外すことができるように構成されている。
【００６５】
ボビン取外し部８３によってペグ８１から取り外された巻取ボビン１６は、ボビン案内通路８４に落とされる。ボビン案内通路８４は、ボビン取外し部８３と、ボビン供給部８５とを結ぶように形成されている。ボビン案内通路８４に落とされた巻取ボビン１６は、当該ボビン案内通路８４を通ってボビン供給部８５まで案内される。なお、ボビン案内通路８４は湾曲して形成されており、ボビン案内通路８４を通る巻取ボビン１６の方向転換を行うように構成されている。即ち、巻取ボビン１６は、ペグ８１から取り外された時点では軸線が前後方向に向いた姿勢であるが、ボビン案内通路８４を通過する間に方向が変えられて、ボビン供給部８５に到達した時点では当該巻取ボビン１６の軸線が略左右方向を向いた姿勢となるように構成されている。
【００６６】
ボビン供給部８５は、前記ボビン供給位置７７に停止する玉揚台車６７の直上の位置に形成されている。このボビン供給部８５は、図略のボビン繰出し機構を備えている。ボビン繰出し機構は、ボビン案内通路８４を案内されてきた巻取ボビン１６を堰き止めることができるとともに、堰き止めている巻取ボビン１６を一つずつ繰り出すことができるようになっている。繰り出された巻取ボビン１６は、ボビン供給部８５から落下する。
【００６７】
以上の構成で、ボビン供給位置７７に停止している玉揚台車６７に対して、巻取ボビン１６を供給することができる。
【００６８】
前述のように、本実施形態の精紡機１において、玉揚台車６７がボビンストッカ４から巻取ボビン１６の供給を受ける位置（ボビン供給位置７７）は、機台本体２の正面側に設定されている。一方で、ボビンストッカ４は正面側を向いており、これによりボビンストッカ４が保管している巻取ボビン１６に対して正面側からアクセスできるように構成されている。このように、ボビンストッカ４の正面側とボビン供給位置７７とを同じ側に配置したことにより、ボビンストッカ４が保管している巻取ボビン１６を玉揚台車６７に供給するための構成（ボビン案内通路８４など）を短くシンプルに構成することができる。
【００６９】
なお、例えば特許文献１に記載されているように、従来の精紡機では、糸継台車（作業台車）のメンテナンスを行うために、当該糸継台車を機台本体の側方から抜き出すように構成されていた。従ってこの従来の紡績機において、機台本体の側方に配置されるボビンストッカは、糸継台車の抜出し通路に干渉しないように配置されなければならない。そこで、従来の精紡機では、前記抜出し通路よりも正面側又は背面側にボビンストッカを配置することになる。しかし、抜出し通路の正面側にはボビンストッカを配置するための十分なスペースが無いため、結局、当該ボビンストッカは抜出し通路の背面側に配置せざるを得なかった。
【００７０】
この点、本実施形態の精紡機１では前述のように、糸継台車６６は、機台本体２の背面側から抜き出してメンテナンスを行えるように構成している。従って、本実施形態の構成によれば、糸継台車６６を機台本体２の側方から抜き出す必要がない。即ち、本実施形態の精紡機１は、糸継台車６６の抜出し通路を避けてボビンストッカ４を配置しなければならないという制限が無い。これにより、本実施形態の精紡機１では、ボビンストッカ４を正面側に向けて配置することが可能となったのである。
【００７１】
また上記のように、本実施形態ではボビンストッカ４の配置の制限が無いため、当該ボビンストッカ４を、正面側に寄せて配置している。これにより、ボビンストッカ４の背面側のスペースを有効利用できる結果、当該背面側にブロアボックス５を配置することができるようになり、合理的な配置が可能となった。また、上記のようにボビンストッカ４を正面側に寄せて配置することにより、当該ボビンストッカ４を玉揚台車走行レール３９に近づけることができる。即ち、ボビンストッカ４と玉揚台車６７との距離を短くすることができる。これにより、ボビンストッカ４から玉揚台車６７に巻取ボビン１６を供給するための構成を、短くシンプルに構成することができる。
【００７２】
ただし、本願発明の適用は、機台本体２の背面から糸継台車６６を抜き出す構成の精紡機１（上記実施形態の構成）に限定されるわけではない。機台本体２の側方から糸継台車６６を抜き出す構成（特許文献１のような構成）であっても、例えば糸継台車６６の抜出し通路の上方にボビンストッカ４を配置することで、本願発明の構成を適用することができる。即ち、このようにボビンストッカ４を配置するのであれば、当該ボビンストッカ４の下方を通して糸継台車６６を抜き出すことができるので、ボビンストッカ４の前後方向での配置が制限されることがない。従って、当該ボビンストッカ４を正面側に寄せて配置し、かつ当該ボビンストッカ４を正面側に向けることができる。これにより、ボビンストッカ４から玉揚台車６７まで巻取ボビン１６を供給するための構成を短くシンプルにするという、本発明の効果を得ることができる。ただしこの場合、ボビンストッカ４の下方に糸継台車６６の抜出し通路を形成しなければならないため、当該ボビンストッカ４が巻取ボビン１６を収容できるスペースが上下方向で狭くなり、ボビンストッカ４に収容可能な巻取ボビン１６の数が少なくなってしまう。
【００７３】
この点、本実施形態の精紡機１は、糸継台車６６を機台本体２の背面から抜き出す構成であるから、ボビンストッカ４の下方に糸継台車６６の通路を形成しなければならないという制限が無い。そこで本実施形態の精紡機１では、ボビンストッカ４を、機台本体２の上下方向の全域にわたって設けている（即ち、ボビンストッカ４は、機台本体２の上下方向の全域にわたって巻取ボビン１６を収容することができる）。これにより、ボビンストッカ４に多数の巻取ボビン１６を保管することができる。
【００７４】
また、ボビンストッカ４の正面側には、糸屑排出部７９が形成されている。この糸屑排出部７９は、玉揚台車６７の前記糸屑回収ボックス７８に溜まった糸屑を、吸引流によって吸引除去するためのものである。糸屑排出部７９による糸屑の吸引除去を定期的に行うことで、玉揚台車６７の糸屑回収ボックス７８が糸屑で詰まってしまうことを防止できる。
【００７５】
図１に示すように、糸屑排出部７９は、ボビン供給位置７７に停止した玉揚台車６７の糸屑回収ボックス７８に対して、前後方向で対面する位置に設けられている。この糸屑排出部７９は、吸引空気流を発生させることができるように構成されている。一方、玉揚台車６７の前記糸屑回収ボックス７８は、糸屑排出部７９に対面する部分が開放可能に構成されている。以上の構成で、糸屑排出部７９は、ボビン供給位置７７に停止した玉揚台車６７の糸屑回収ボックス７８から糸屑を吸引除去することができるようになっている。
【００７６】
そして、糸屑排出部７９は、玉揚台車６７がボビン供給位置７７に停止して、ボビンストッカ４から巻取ボビン１６の供給を受けている間に、前記糸屑の吸引除去を行うように構成されている。このように、本実施形態の精紡機１では、玉揚台車６７に対する巻取ボビン１６の供給と、当該玉揚台車６７の糸屑回収ボックス７８からの糸屑の排出と、を同時に行う事ができる。従って、玉揚台車６７の動作効率を向上させることができる。しかも、玉揚台車６７に対する巻取ボビン１６の供給は随時行われるので、糸屑回収ボックス７８からの糸屑の排出もそのつど行うことができる。これにより、糸屑回収ボックス７８が糸屑で詰まってしまうことを確実に防止できる。なお、精紡機１の機台効率は低下するが、糸屑排出部７９を別の箇所に設けて、糸屑回収ボックス７８からの糸屑の排出を行っても良い。
【００７７】
以上で説明したように、本実施形態の精紡機１は、機台本体２と、複数の紡績ユニット６と、ボビンストッカ４と、玉揚台車６７と、を備えている。紡績ユニット６は、機台本体２の長手方向に沿って並設され、巻取ボビン１６に紡績糸１５を巻き取ってパッケージ１７を形成する。ボビンストッカ４は、紡績ユニット６で使用される巻取ボビン１６を保管する。玉揚台車６７は、紡績ユニット６とボビンストッカ４との間を走行可能に設けられ、巻取ボビン１６を紡績ユニット６に供給する。ボビンストッカ４が保管している巻取ボビン１６に対して、少なくとも正面側からアクセス可能であるように、当該ボビンストッカ４が構成されている。玉揚台車６７は、ボビンストッカ４が保管している巻取ボビン１６を、機台本体２の正面側のボビン供給位置７７において受け取る。
【００７８】
このように、ボビンストッカ４のアクセス可能な側と、玉揚台車６７が巻取ボビン１６を受け取る位置（ボビン供給位置７７）と、を同じ側に配置したことにより、ボビンストッカ４から玉揚台車６７に供給される巻取ボビン１６の経路の長さを短縮することができる。その結果、簡単な構成により、巻取ボビン１６を玉揚台車６７に効率良く供給することができる。
【００７９】
本実施形態の精紡機１は、機台本体２の正面側に配置され、玉揚台車６７の走行を可能とする玉揚台車走行レール３９を更に備えている。玉揚台車走行レール３９を挟んで、紡績ユニット６及びボビンストッカ４の反対側に、作業者が作業を行う作業通路８０が設けられている。
【００８０】
即ち、ボビンストッカ４は、作業通路８０側を向いて配置されている。これにより、作業者は、ボビンストッカ４のボビン保管状況を、作業通路８０から容易に確認できる。
【００８１】
本実施形態の精紡機１において、ボビンストッカ４は、巻取ボビン１６の軸方向端部が作業通路８０側を向くように、巻取ボビン１６を複数保管するように構成されている。
【００８２】
これにより、ボビンストッカ４は、巻取ボビン１６を多数保管することができる。
【００８３】
本実施形態の精紡機１は、以下のように構成されている。即ち、この精紡機１は、糸屑回ボックス７８と、糸屑排出部７９と、を更に備えている。糸屑回収ボックス７８は、玉揚台車６７に設けられ、糸屑を回収する。糸屑排出部７９は、ボビンストッカ４の近傍に配置され、ボビン供給位置７７に停止した玉揚台車６７の糸屑回収ボックス７８に溜まっている糸屑を、当該糸屑回収ボックス７８から排出させる。
【００８４】
この構成によれば、玉揚台車６７は、ボビン供給位置７７において、巻取ボビン１６の受領と糸屑の廃棄を同時に行うことができる。これにより、精紡機１全体の効率も向上させることができる。
【００８５】
本実施形態の精紡機１は、以下のように構成されている。即ち、精紡機１は、紡績ユニット６が巻き取る紡績糸１５よりも背面側において、前記紡績糸１５の糸継作業を行う糸継台車６６を備える。機台本体２は、当該機台本体２の背面側と、前記糸継台車６６の作業空間と、を連通する開口部１１０を有している。
【００８６】
これにより、糸継台車６６を機台本体２の背面側からメンテナンスすることができる。従って、従来技術のように、糸継台車のメンテナンスのために当該糸継台車を機台側方から抜く必要がないので、ボビンストッカ４を正面側に寄せて配置することができる。
【００８７】
本実施形態の精紡機１において、ボビンストッカ４は、機台本体２の高さ方向の全域にわたって設けられている。
【００８８】
即ち、糸継台車６６を機台本体２の側方から抜く必要がなくなった結果、糸継台車６６を抜くためのスペースを機台側方に設ける必要が無くなった。この結果、ボビンストッカ４のレイアウトの自由度が向上し、当該ボビンストッカ４を機台本体２の上下方向の全域にわたって設けることができる。これにより、ボビンストッカ４が保管可能な巻取ボビン１６の数を増加させることができる。
【００８９】
以上に本発明の好適な実施の形態及び変形例を説明したが、上記の構成は例えば以下のように変更することができる。
【００９０】
上記実施形態では、糸貯留装置１２の糸貯留ローラ６３を回転させることにより、紡績部１１から紡績糸１５を引き出す構成とした。これに代えて、例えば特開２００５−２２０４８４号公報に記載されているように、デリベリローラとニップローラとによって紡績糸を挟み込んで回転することにより、紡績装置から紡績糸を引き出す糸送り装置を設けても良い。
【００９１】
上記実施形態では、紡績ユニット６と玉揚台車６７の走行経路との間にパッケージコンベア７５を設けた構成としたが、紡績ユニット６、玉揚台車６７の走行経路、パッケージコンベア７５の順で配置されていても良い。もっとも、パッケージコンベア７５によって満巻パッケージ１７を自動的に回収する構成は省略しても良い。この場合、上記実施形態でパッケージコンベア７５が配置されている位置には、満巻パッケージ１７を一時的に保管しておくためのパッケージ載置部が形成される。この場合、作業者は、パッケージ載置部に載置されている満巻パッケージを手作業で回収する。
【００９２】
上記実施形態では、玉揚台車（作業台車）６７が玉揚作業とボビンセット作業の両方を行っているが、本発明に係る作業台車は、必ずしも玉揚作業を行うように構成されている必要はない。即ち、作業台車は、ボビンセット作業だけを行うように構成されていても良い。この場合、各巻取部１３で満巻きとなったパッケージ１７は、作業台車とは別の適宜の手段によって回収される。
【００９３】
上記の空気紡績装置４１に限らず、他の形式の紡績装置を備えた紡績機にも本願発明の構成を適用することができる。また、本発明の構成は、紡績機に限らず、自動ワインダなどの他の種類の糸巻取機にも広く適用することができる。
【符号の説明】
【００９４】
１  精紡機（糸巻取機）
２  機台本体
４  ボビンストッカ（ボビン保管装置）
６  巻取ユニット
１５  紡績糸（糸）
１６  巻取ボビン
６７  玉揚台車（作業台車）
７７  ボビン供給位置
【図１】
2013067883.tif 000003
【図２】
2013067883.tif 000004
【図３】
2013067883.tif 000005
【図４】
2013067883.tif 000006